(57)【特許請求の範囲】
【請求項１】
接続手段（４）を有するハウジング（２）と該ハウジング（２）に担持されてナイフ（１）を固定する受容装置（３）とを備えてナイフ（１）を滑走式ミクロトームの滑走部上で正確な位置に保持する保持装置において、
前記受容装置（３）が、前記ナイフ（１）を形状接合式におよび／または摩擦接合式で受容する役目を果たし、
前記ナイフ（１）が、前記受容装置（３）に直接的に着座し、
前記受容装置（３）が、前記ナイフ（１）を載置する載置面（８）を備えている受容プレート（５）と、該受容プレート（５）又は前記載置面（８）の上でナイフ（１）をクランプ式に保持する圧着プレート（７）とを含み、
前記受容プレート（５）が、前記ナイフ（１）および／または圧着プレート（７）よりも幅広であり、
前記受容装置（３）が、前記受容装置（３）の端部側旋回領域によってハウジング（２）の中で片側でのみ旋回自在であり、
前記接続手段（４）が、前記ハウジング（２）の下である前記滑走部に向けて延長し、前記ハウジング（２）の下に配置され、前記滑走部への取外し自在な結合の役目を果たす差込結合の部材としての引張ボルト（１２）を含んでいることを特徴とする保持装置。
【請求項２】
前記受容プレート（５）又は載置面（８）が、前記ナイフ（１）を一義的に位置決めするストッパ（６）を含んでいることを特徴とする請求項１記載の保持装置。
【請求項３】
前記ナイフ（１）及び圧着プレート（７）の長手方向位置決めは、前記受容プレート（５）の載置面（８）に沿って自在であることを特徴とする請求項１又は請求項２記載の保持装置。
【請求項４】
前記受容プレート（５）が、前記受容プレート（５）の長手方向に沿って圧着プレート（７）を正確な位置に変位させる案内部を含んでいることを特徴とする請求項１乃至請求項３のいずれかに記載の保持装置。
【請求項５】
前記圧着プレート（７）が、前記受容プレート（５）の上でクランプ手段又はねじ（１０）を介して固定自在であることを特徴とする請求項１乃至請求項４のいずれかに記載の保持装置。
【請求項６】
前記ハウジング（２）の切欠き（９）は、前記受容装置（３）の一部が前記切欠き（９）に嵌挿されていることで受容装置（３）の旋回領域を定義し又は制限するように構成されていることを特徴とする請求項１乃至請求項５のいずれかに記載の保持装置。
【請求項７】
前記ハウジング（２）が、前記圧着プレート（７）に臨む側の反対側に開いており、
前記受容装置（３）が、前記圧着プレート（７）に臨む側の反対側で操作領域及び操作機構（１４）へのアクセス部を通じて手動式に回転自在又は旋回自在であることを特徴とする請求項１乃至請求項６のいずれかに記載の保持装置。
【請求項８】
前記受容装置（３）及びハウジング（２）が、鋼材、アルミニウム又はプラスチックで形成されていることを特徴とする請求項１乃至請求項７のいずれかに記載の保持装置。
【請求項９】
請求項１乃至請求項８のいずれかに記載の保持装置を有していることを特徴とする滑走式ミクロトーム。
【発明の詳細な説明】
【技術分野】
【０００１】
本発明は、接続手段を有するハウジングと、ハウジングに担持されてナイフを固定する受容装置とを備え、滑走式ミクロトームの滑走部上でナイフすなわち刃を正確な位置に保持する保持装置に関するものであり、特に、受容装置がナイフを形状接合式におよび／または摩擦接合式で受容する役目を果たし、ナイフが受容装置に直接的に着座するものに関する。
【背景技術】
【０００２】
ミクロトーム、特に滑走式ミクロトームは、長年にわたり実務で知られている。
ミクロトームは、主として、生物学、医学、産業研究の分野において、相応に包埋された試料からパラフィン切片を作成する役目を果たす。
機械的な観点から高いコストのかかる回転式ミクロトームのほか、試料採取の目的のために試料本体が定置の切断ナイフに対して相対的に運動するか、または、切断ナイフが定置の試料本体に対して相対的に運動する滑走式ミクロトームであって、設計的な観点からいっそう簡素な滑走式ミクロトームがある。
この運動は、滑走式ミクロトームにおける滑走部の直線移動によって行われる。
【０００３】
これに加えて、切断ナイフに対する試料本体の送りを具体化することが必要であり、すなわち、それは切断工程のたびに、特定の切断厚みを設定できるようにするためである。
このような送り運動は、通常、試料本体の側で切断カッターに対して相対的に行われ、すなわち、切断平面に対して直交して行われるのが通常である。
【０００４】
特許文献１、特許文献２、特許文献３より、切断ナイフが直線移動可能な滑走部に付属するとともに、物体保持装置がハウジング、もしくは、マイクロメータ機構に定置に付属している滑走式ミクロトームが公知である。
このとき物体保持装置は、一方では送りをするために、他方では切断厚みを調整するために、滑走部、もしくは、切断ナイフの運動平面に対して直交するように移動可能であり、すなわち、切断平面に対して直交するように移動可能である。
試料本体のための物体保持装置と、切断カッターのための保持装置とは、切断ナイフの相応の配置で滑走部が移動したときに試料本体の表面のすぐ下で相応の切断が行われるように、相互に位置決めされる。
【０００５】
特許文献４より、滑走式ミクロトームが公知である。
同文献では、実務から知られているあらゆる滑走式ミクロロームと同じく、交換可能なナイフすなわち刃が別個のナイフホルダとともに提供され、本来のナイフが着座するナイフホルダを形状接合式に及び／または摩擦接合式で受容する受容装置にナイフホルダとともに挿入される。
これには高いコストがかかり、市販のナイフはいずれも多少とも同じ構成であるにもかかわらず、滑走式ミクロトームに属する受容装置をその都度ナイフホルダに合わせて特別に調節することを必要とする。
【先行技術文献】
【特許文献】
【０００６】
【特許文献１】独国特許発明第３６０４０２９号明細書
【特許文献２】独国特許発明第３７１４３８９号明細書
【特許文献３】独国特許発明第３７１４３９０号明細書
【特許文献４】独国特許発明第１９６０６９６９号明細書
【発明の概要】
【発明が解決しようとする課題】
【０００７】
特にナイフホルダの中で提供されるナイフの調節の必要性に関して、実務から知られている設計を前提としたうえで、本発明の課題は、どのような市販のナイフでも特別なナイフホルダを介在させることなく使用することができ、それによってナイフだけがそれ自体として交換される保持装置であって、滑走式ミクロトームの滑走部上でナイフすなわち刃を正確な位置に保持する保持装置を提供することにある。
【課題を解決するための手段】
【０００８】
上述の課題は、請求項１の構成要件によって解決される。
それによると本保持装置は、滑走部に、または、滑走式ミクロトームのハウジング、もしくは、マイクロメータ機構に、取付をするための接続手段を有するハウジングを含んでいる。
ここで付言しておくと、本件で対象とする保持装置を滑走部に、あるいは、ハウジング、もしくは、マイクロメータ機構に、付属させることも考えられる。
最終的に重要なのは、切断されるべき試料に対する相対運動をナイフが行うことだけであり、どのコンポーネントが定置であり、どのコンポーネントが可動であるかはまったく問題ではない。
【０００９】
ナイフを形状接合式に及び／または摩擦接合式で受容する役目をする特別な受容装置が、ハウジングによって担持される。
換言すると、受容装置によってナイフが保持され、すなわち、ナイフは受容装置に直接的に着座し、しかも、従来技術ではミクロトームに属する受容装置にナイフを付属させるために必要となる特別な調節手段を使用しないようになっている。
【００１０】
このように本発明では、汎用的な受容装置を備えるように滑走式ミクロトームを構成するのがきわめて特別に好ましいことが見出されており、この受容装置は、任意の（適切な）ナイフを形状接合式に及び／または摩擦接合式で受容する役目を果たすものであり、それによってナイフを滑走式ミクロトームの受容装置で固定可能であり、また、いつでも再び取外し可能である。
【００１１】
受容装置は、具体的には、ナイフを載置するための受容プレートを含んでいる。
さまざまに異なる長さと形状のナイフを受容プレートに載置することができる。
圧着プレートが、受容プレートの上でナイフをクランプ式に保持する役目を果たす。
さらに別の位置決め手段が設けられていてよく、たとえば、別個の摩擦接合を引き起こすクランプラグや、ナイフの保持を補助する手段が設けられていてよい。
【００１２】
受容プレートは、ナイフを一義的に位置決めするためのストッパを備えているのがきわめて特別に好ましく、すなわち、ナイフが受容プレートの上に載ったときに、切断エッジと反対を向いている側でストッパに当接するようになっている。
ストッパが、少なくとも小さく構成された上側係合部を有していることも考えられ、それによってナイフがストッパの上側係合部の下に差し込まれ、それによって確実に位置決めすることができる。
【００１３】
滑走式ミクロトームのできる限り可変的、又は、フレキシブルな動作のために、ナイフを大きめに、または、小さめに、もしくは、幅狭に、または、幅広に構成し、もしくは、斜め切りのケースでは、ナイフを受容プレートの上での位置決めに関して変更することが必要になる場合がある。
そのために、受容プレートがナイフよりも広く構成されており、及び／または、ナイフと圧着プレートとの長手方向位置決めを受容部の載置面に沿って可能であるように圧着プレートが構成されていると好ましい。
さらに、このような構成の枠内では、極端に幅広の、もしくは、長いナイフを使用する必要がない。
むしろ、ナイフの切断エッジが実際に必要とされるところで、正確な位置決めが可能である。
決定的に重要なのは、受容プレートに沿って、ナイフだけでなく圧着プレートも位置に関して変更することができ、そのようにして、ナイフを受容プレートに沿って確実に位置決めできることである。
【００１４】
圧着プレートおよびこれに伴ってナイフを位置決めするために、受容プレートは、圧着プレートを長手方向に正確な位置へ変位させるための案内部を含むことができ、たとえば、リンク機構案内部、あり接ぎ式案内部などの形式のものを含むことができ、または、たとえば、圧着プレートを受容プレートの長手方向で案内することができる案内溝への、圧着プレートのその他の係合部を含むことができる。
【００１５】
圧着プレートは、特に別個のクランプ手段、ねじ等によって、受容プレートの上で任意に固定することができる。
ねじを使用する場合、ねじは、例えば、六角穴付きボルトとして製作されていてよく、その頭部が圧着プレートに埋め込まれるように配置される。
このようなねじが、受容プレートにあるねじ山に係合する。
同様に、圧着プレートのわずかな傾きによって、特に、挿入されたナイフに対する傾きによって、ナイフに対するクランプ作用を惹起することも考えられる。
これ以外の任意のクランプ機構を具体化可能であるが、クランプ手段、もしくは、ねじがナイフから離れて配置されており、それにより、クランプ手段に合わせたナイフの特別な適合化が必要ないようになっていると、きわめて特別に好ましい。
その正反対に、クランプ手段や、ねじ等から離れてクランプを惹起することができ、それにより、どのような形状を有するどのようなナイフでも使用することができる。
【００１６】
ハウジングはきわめて特別な機能を有しており、すなわち、一方では、滑走部の上で受容装置を保持する役目を果たし、他方では、切断されるべき物体に対して相対的に受容装置を調整する役目を果たす。
具体的には、受容装置は端部側の旋回領域を含んでおり、この旋回領域によって、受容装置が旋回可能なようにハウジングに着座する。
このような旋回領域を通じて、受容装置の角度位置を調整することができ、それに伴って、物体に対するナイフの角度位置を調整することができる。
【００１７】
さらに、受容装置の少なくとも一部がハウジングの切欠きに突入しており、それにより、ハウジングの切欠きが受容装置の旋回領域を定義し、もしくは、制限するようになっているといっそう好ましい。
【００１８】
旋回装置は、ハウジングから突き出している部分が楔形に製作されていてよく、尖って終わっている前側端部のところに圧着プレートが、そこで保持されるナイフとともに着座する。
【００１９】
ハウジングは、圧着プレートと反対を向いている側で開いて製作されており、それにより、そこで旋回領域へのアクセス部を通じて、特に操作領域や操作機構へのアクセス部を通じて、受容装置を手動式に回転可能／旋回可能であるようになっている。
たとえば、操作領域は回転つまみのように製作されていてよく、これを通じて、物体保持装置に対するナイフの角度位置を定義することができる。
最大で約１０度だけ切断角を調整するための旋回可能性を可能にするのが好ましく、すなわち、それはナイフの傾きを惹起できるようにし、すなわち、切断角の調節を惹起できるようにするためである。
このとき、操作機構がハウジングに対して、角度を定義するマーキングを有しているといっそう好ましい。
そのようにして、切断角の調整が再現可能になる。
【００２０】
受容装置のいっそうの調整可能性は、差込結合の部材を含むことができる接続手段を通じて得られる。
これは引張ボルトであってよく、この引張ボルトを通じて、滑走部との結合が惹起される。
滑走部との結合部は、ボルトの長軸を中心として、ハウジングおよびこれに伴って受容装置の少なくともわずかな旋回可能性すなわち方位角を許すことができ、それにより、この意味においても、切断されるべき物体に対するナイフの調整が可能であり、特に滑走部の運動方向に対して直交する、滑走部の上でのハウジングの旋回によって可能である。
【００２１】
さらに付言しておくと、受容装置および場合によりハウジングは実質的に鋼材で、特に硬化された鋼材で、もしくは、特殊鋼で製作されていてよい。
必要性、もしくは、要求事項によっては、受容装置の一部をアルミニウムやプラスチックで製作することも考えられる。
【００２２】
さらに本発明は、上記の説明に準拠する、滑走式ミクロトームの滑走部の上でナイフ、もしくは、刃を正確な位置で保持する保持装置を備えた滑走式ミクロトームを対象とする。
【００２３】
本発明の思想を好ましい形態で構成、改良する選択肢には、さまざまなものがある。
これに関して、一方では、請求項１に後続する請求項、他方では、図面を参照した本発明の実施例についての以下の説明を参照されたい。
図面を参照した本発明の好ましい実施例の説明との関連で、この思想の一般的に好ましい構成や改良についても説明する。
図面には次のものが示されている。
【図面の簡単な説明】
【００２４】
【図１】本発明に係る保持装置の実施例を斜め前から見た模式的な斜視図。
【図２】図１に示した保持装置の模式的な平面図。
【図３】図１に示した保持装置の模式的な正面図。
【図４】図１に示した保持装置の模式的な裏面図。
【図５】図１に示した保持装置を受容装置側から見た模式的な側面図。
【図６】図１に示した保持装置を操作機構側から見た模式的な側面図。
【発明を実施するための形態】
【００２５】
図１は、図示されていない滑走式ミクロトームの滑走部上でナイフ１を正確な位置に保持する本発明の保持装置の実施例を示している。
【００２６】
この保持装置は、ハウジング２と、ハウジング２に担持された状態でナイフ１を固定する受容装置３とを含んでいる。
さらに、滑走式ミクロトームの滑走部上で本保持装置を固定する接続手段４が、本保持装置に設けられている。
【００２７】
受容装置３は、形状接合式に及び／または摩擦接合式でナイフ１を受容する役目を果たす。
ナイフ１は、受容装置３に直接的に着座し、すなわち、何らかの調節手段を介在させることなく着座する。
受容装置３は、最終的に、任意のナイフ１を直接的に固定すなわちクランプ固定する役目を果たす。
【００２８】
さらに図１は、受容装置３が、ナイフ１を載置する役目をする受容プレート５を含んでいることを示している。
受容プレート５は、ストッパ６を備えており、それにより、ストッパ６に対してナイフ１の位置決めが設定される。
【００２９】
ここに示す実施例では、ナイフ１を固定するために受容プレート５よりも短く形成された圧着プレート７が設けられている。
圧着プレート７は、ナイフ１を載置する役目の載置面８から離れた状態で六角穴付きボルトを介して受容プレート５の上でねじ固定される。
ナイフ１は、圧着プレート７のクランプ作用により、載置面８の上でクランプ式に保持される。
【００３０】
さらに図１は、硬化された鋼材で製作されていてよい楔形のブロックで受容装置３が形成されていることを示している。
受容装置３は、一方の端部で旋回可能なようにハウジング２に配置されており、受容プレート５と圧着プレート７とを含む前側領域は、ハウジング２の側方の切欠き９から突き出している。
切欠き９の寸法は、切欠き９から突き出している受容装置３の領域の厚みとの関連で、受容装置３の旋回領域を定義し、それによって切断角がもたらされる。
【００３１】
図２は、図１に示した保持装置の模式的な平面図であり、ここでは、載置面８のどの領域が、載置面８よりも短い圧着プレート７によって覆われるかを明瞭に見ることができる。
さらに図２は、圧着プレート７がねじ１０を介して受容プレート５とクランプ式に結合されていることを明瞭に示しており、すなわち、それはナイフ１を確実に保持するためである。
【００３２】
さらに図２には、ストッパ６と、ねじ１０が緩められたときでも、もしくは、外されたときでも、圧着プレート７の正確な位置でのスライドを可能にする案内溝１１とを見ることができる。
図３は、図１及び図２に示した保持装置の正面図であり、ここでは、引張ボルト１２の形態で示された接続手段４を見ることができる。
さらに図３には、受容装置３の旋回による切断角の調整可能性すなわち切断角の範囲を制限する切欠き９を見ることができる。
【００３３】
図４は、図１から図３に示した保持装置の裏面図であり、裏側で閉じているハウジング２と、ハウジングから側方に突き出す受容装置３とを保持装置の後側から示している。
具体的には引張ボルト１２である接続手段４を同じく見ることができる。
【００３４】
図５は、図１から図４に示した保持装置を受容装置３のほうから見た側面図である。
図５では、受容プレート５の案内溝１１に突起１３を嵌挿した圧着プレート７の構成を非常によく見ることができる。
案内溝１１に突起１３を嵌挿した状態で載置面８に沿って圧着プレート７をスライドさせることにより、受容装置３に沿ってナイフ１の絶対的な位置を設定できるようになっている。
【００３５】
さらに図５は切欠き９を示しており、切欠き９は、受容装置３及び切欠き９に伴って切断角の角度調節を定義し、もしくは、制限するものである。
【００３６】
図６は、本発明に係る保持装置の実施例を操作機構１４の側から見た模式図である。
操作機構１４は一種の回転つまみであり、操作機構１４に従って受容装置３及び受容装置３に伴うナイフ１の傾きもしくは角度位置を限定された範囲内で調整して切断条件が設定される。
【００３７】
本発明に係る保持装置の上記以外の好ましい構成に関しては、繰り返しを避けるために、明細書の一般的な部分、ならびに、添付の特許請求の範囲を参照されたい。
【００３８】
最後に明文をもって指摘しておくと、以上に説明した本発明に係る保持装置の実施例は、権利申請される思想を説明するためのものにすぎず、思想をこの実施例に限定するものではない。
【符号の説明】
【００３９】
１    ・・・  ナイフ
２    ・・・  ハウジング
３    ・・・  受容装置
４    ・・・  接続手段
５    ・・・  受容プレート
６    ・・・  ストッパ
７    ・・・  圧着プレート
８    ・・・  載置面
９    ・・・  切欠き
１０  ・・・  ねじ
１１  ・・・  案内溝
１２  ・・・  引張ボルト
１３  ・・・  突起
１４  ・・・  操作機構
【図１】
0005918408.tif 000002
【図２】
0005918408.tif 000003
【図３】
0005918408.tif 000004
【図４】
0005918408.tif 000005
【図５】
0005918408.tif 000006
【図６】
0005918408.tif 000007